【事件の表示】
　特許第４１５１９１９号に関する訂正審判事件について、次のとおり審決する。
【結　論】
　特許第４１５１９１９号に係る明細書を本件審判請求書に添付された訂正明細書のとおり訂正することを認める。
【理　由】
１．手続の経緯
　本件特許第４１５１９１９号の請求項１に係る発明は、平成９年４月２５日に特許出願され、平成２０年７月１１日に特許権の設定登録がなされ、その後、平成２４年８月１３日（書面には８月１０日の日付）に本件審判が請求されたものである。
　
　
２．審判請求の趣旨
　本件審判請求の趣旨は、本件特許第４１５１９１９号の明細書（以下「特許明細書」という。）を、本件審判請求書に添付した訂正明細書のとおり訂正することを求めるものである。
　その訂正内容は、次のとおりである。（下線は当審で付加。）
　
＜訂正事項１＞
　特許請求の範囲の請求項１に
「遊技領域に配設され、始動装置への遊技球の入球又は該始動装置を遊技球が通過することに起因して、表示態様を変化させた後に確定表示する可変表示装置と、前記可変表示装置の前面側に配設される枠部材と、を備え
　確定表示された前記可変表示装置の表示態様が予め定められた特別表示態様となったことに起因して、遊技者に特別遊技を実施する機会を与えるように構成された弾球遊技機において、
　前記枠部材は、
　第１の入球口と、第２の入球口と、
　前記第１の入球口に入球した遊技球を通過させる第１の球誘導部と、前記第２の入球口に入球した遊技球を通過させる第２の球誘導部と、
　前記第１の球誘導部から流出する前記遊技球を遊動させて前記遊技領域の下方に流下させる第１の球遊動面と、前記第２の球誘導部から流出する前記遊技球を遊動させて前記遊技領域の下方に流下させる第２の球遊動面と、を備え、
　前記第１の球遊動面は、前記枠部材の内側底面に形成され、
　前記第２の球遊動面は、前記第１の球遊動面の下側に設けられた空洞部の底面に形成され、
　前記第１の球遊動面から遊技球が流下する流下幅は、前記始動装置の左方又は右方に落下可能な程度に形成され、
　前記第２の球遊動面の前面に配置されたベース板には、前記流下幅よりも狭められた流下幅に設定された小口の球出口が貫設され、該球出口の真下には前記始動装置が配置され、前記第２の球遊動面から前記球出口を経て流出する遊技球が真下に流下し前記始動装置に入球または通過可能となっており、
　前記第２の球遊動面を始動装置用特別球遊動面とし、前記始動装置用特別球遊動面から流下された遊技球が前記始動装置へ入球する確率又は前記始動装置を通過する確率が、前記第１の球遊動面から流下された遊技球が前記始動装置へ入球する確率又は該始動装置を通過する確率よりも高くなるように構成されたことを特徴とする弾球遊技機。」とあるのを、
「遊技領域に配設され、始動装置への遊技球の入球又は該始動装置を遊技球が通過することに起因して、表示態様を変化させた後に確定表示する可変表示装置と、前記可変表示装置の前面側に配設される枠部材と、を備え
　確定表示された前記可変表示装置の表示態様が予め定められた特別表示態様となったことに起因して、遊技者に特別遊技を実施する機会を与えるように構成された弾球遊技機において、
　前記枠部材は、
　第１の入球口と、第２の入球口と、
　前記第１の入球口に入球した遊技球を通過させる第１の球誘導部と、前記第２の入球口に入球した遊技球を通過させる第２の球誘導部と、
　前記第１の球誘導部から流出する前記遊技球を遊動させて前記遊技領域の下方に流下させる第１の球遊動面と、前記第２の球誘導部から流出する前記遊技球を遊動させて前記遊技領域の下方に流下させる第２の球遊動面と、を備え、
　前記第１の球遊動面は、前記枠部材の内側底面に形成され、
　前記第２の球遊動面は、前記第１の球遊動面の下側に設けられた空洞部の底面に形成され、
　前記第１の球遊動面から遊技球が流下する流下幅は、前記始動装置の左方又は右方に落下可能な程度に形成され、
　前記第２の球遊動面の前面に配置されたベース板には、前記流下幅よりも狭められた流下幅に設定された小口の球出口が貫設され、該球出口の真下には前記始動装置が配置され、前記第２の球遊動面から前記球出口を経て流出する遊技球が真下に流下し前記始動装置に入球または通過可能となっており、
　前記ベース板の前記球出口の左側には、上面に第３の球遊動面を有し、前記第１の球遊動面から落下してきた遊技球を前記球出口の前方空間に向かって遊動する左球遊動部材が設けられ、　前記ベース板の前記球出口の右側には、上面に第３の球遊動面を有し、前記第１の球遊動面から落下してきた遊技球を前記球出口の前方空間に向かって遊動する右球遊動部材が設けられており、
　前記第２の球遊動面を始動装置用特別球遊動面とし、前記始動装置用特別球遊動面から流下された遊技球が前記始動装置へ入球する確率又は前記始動装置を通過する確率が、
　前記第１の球遊動面から流下された遊技球が前記始動装置へ入球する確率又は該始動装置を通過する確率
、及び、前記第３の球遊動面から流下された遊技球が前記始動装置へ入球する確率又は該始動装置を通過する確率、
　
＜訂正事項２＞
　明細書の段落【０００６】に
「【課題を解決するための手段】
　上記課題に鑑み請求項１記載の発明はなされたものであり、遊技領域に配設され、始動装置への遊技球の入球又は該始動装置を遊技球が通過することに起因して、表示態様を変化させた後に確定表示する可変表示装置と、前記可変表示装置の前面側に配設される枠部材と、を備え、確定表示された前記可変表示装置の表示態様が予め定められた特別表示態様となったことに起因して、遊技者に特別遊技を実施する機会を与えるように構成された弾球遊技機において、前記枠部材は、第１の入球口と、第２の入球口と、前記第１の入球口に入球した遊技球を通過させる第１の球誘導部と、前記第２の入球口に入球した遊技球を通過させる第２の球誘導部と、前記第１の球誘導部から流出する前記遊技球を遊動させて前記遊技領域の下方に流下させる第１の球遊動面と、前記第２の球誘導部から流出する前記遊技球を遊動させて前記遊技領域の下方に流下させる第２の球遊動面と、を備え、前記第１の球遊動面は、前記枠部材の内側底面に形成され、前記第２の球遊動面は、前記第１の球遊動面の下側に設けられた空洞部の底面に形成され、前記第１の球遊動面から遊技球が流下する流下幅は、前記始動装置の左方又は右方に落下可能な程度に形成され、前記第２の球遊動面の前面に配置されたベース板には、前記流下幅よりも狭められた流下幅に設定された小口の球出口が貫設され、該球出口の真下には前記始動装置が配置され、前記第２の球遊動面から前記球出口を経て流出する遊技球が真下に流下し前記始動装置に入球または通過可能となっており、前記第２の球遊動面を始動装置用特別球遊動面とし、前記始動装置用特別球遊動面から流下された遊技球が前記始動装置へ入球する確率又は前記始動装置を通過する確率が、前記第１の球遊動面から流下された遊技球が前記始動装置へ入球する確率又は該始動装置を通過する確率よりも高くなるように構成されたことを特徴とする弾球遊技機である。こうした構成により、枠部材における遊技球の動作の趣向性を高めることができ、単調な遊技を解消することができる。」とあるのを、
「【課題を解決するための手段】
　上記課題に鑑み請求項１記載の発明はなされたものであり、遊技領域に配設され、始動装置への遊技球の入球又は該始動装置を遊技球が通過することに起因して、表示態様を変化させた後に確定表示する可変表示装置と、前記可変表示装置の前面側に配設される枠部材と、を備え、確定表示された前記可変表示装置の表示態様が予め定められた特別表示態様となったことに起因して、遊技者に特別遊技を実施する機会を与えるように構成された弾球遊技機において、前記枠部材は、第１の入球口と、第２の入球口と、前記第１の入球口に入球した遊技球を通過させる第１の球誘導部と、前記第２の入球口に入球した遊技球を通過させる第２の球誘導部と、前記第１の球誘導部から流出する前記遊技球を遊動させて前記遊技領域の下方に流下させる第１の球遊動面と、前記第２の球誘導部から流出する前記遊技球を遊動させて前記遊技領域の下方に流下させる第２の球遊動面と、を備え、前記第１の球遊動面は、前記枠部材の内側底面に形成され、前記第２の球遊動面は、前記第１の球遊動面の下側に設けられた空洞部の底面に形成され、前記第１の球遊動面から遊技球が流下する流下幅は、前記始動装置の左方又は右方に落下可能な程度に形成され、前記第２の球遊動面の前面に配置されたベース板には、前記流下幅よりも狭められた流下幅に設定された小口の球出口が貫設され、該球出口の真下には前記始動装置が配置され、前記第２の球遊動面から前記球出口を経て流出する遊技球が真下に流下し前記始動装置に入球または通過可能となっており、
前記ベース板の前記球出口の左側には、上面に第３の球遊動面を有し、前記第１の球遊動面から落下してきた遊技球を前記球出口の前方空間に向かって遊動する左球遊動部材が設けられ、前記ベース板の前記球出口の右側には、上面に第３の球遊動面を有し、前記第１の球遊動面から落下してきた遊技球を前記球出口の前方空間に向かって遊動する右球遊動部材が設けられており、
、及び、前記第３の球遊動面から流下された遊技球が前記始動装置へ入球する確率又は該始動装置を通過する確率、
　
＜訂正事項３＞
　明細書の段落【０００７】に「また、請求項１記載の発明に、付加的に、」とあるのを、「
また、付
　
　
３．当審の判断
＜訂正事項１＞について
　まず、訂正目的について検討する。
　訂正事項１は、「弾球遊技機」について、「前記ベース板の前記球出口の左側には、上面に第３の球遊動面を有し、前記第１の球遊動面から落下してきた遊技球を前記球出口の前方空間に向かって遊動する左球遊動部材が設けられ」ている点及び「前記ベース板の前記球出口の右側には、上面に第３の球遊動面を有し、前記第１の球遊動面から落下してきた遊技球を前記球出口の前方空間に向かって遊動する右球遊動部材が設けられて」いる点を限定する（以下「訂正事項１−１」という。）とともに、
　始動装置用特別球遊動面（第２の球遊動面）から流下された遊技球が始動装置へ入球する確率又は前記始動装置を通過する確率が、「前記第３の球遊動面から流下された遊技球が前記始動装置へ入球する確率又は該始動装置を通過する確率」よりも高くなる点を限定する（以下「訂正事項１−２」という。）ものである。
　よって、訂正事項１は、特許請求の範囲の減縮を目的とするものである。
　
　次に、新規事項について検討する。
　訂正事項１−１について、
　特許明細書の【００２４】には「左球遊動部材２８ａ，右球遊動部材２８ｂは、図４に示す通り、ベース板２５の球出口５２の左右の部分に左右対称的に設けられ（図３参照）、遊技球Ｂが球出口５２の前方空間に向かって遊動されるようになっている。すなわち、左球遊動部材２８ａ，右球遊動部材２８ｂは、各々上面に略水平な左第３球遊動面８０，右第３球遊動面８１を有し・・・」と、
　特許明細書の【００２７】には、「・・・遊技球Ｂは・・・第１球遊動面２９（・・・）に誘導され（図４参照）、第１球遊動面２９を遊動してそのまま下方に落下するか、又は、さらに左第３球遊動面８０，右第３球遊動面８１に落下し遊動してから下方に落下する。」と記載されている。
　訂正事項１−２について、
　特許明細書の【００２７】には、「第１球遊動面２９、左第３球遊動面８０，右第３球遊動面８１から落下してきた遊技球Ｂは比較的始動入賞装置６（図２参照）の近辺に落下するものの、遊技球Ｂの落下幅が広いため入球の可能性はそれ程高くない。」、及び、「一方、・・・遊技球Ｃは（図３参照）、・・・第２球遊動面４３を遊動してから、球出口５２から下方に落下する（図４参照）。・・・また球出口５２の幅は２０ｍｍ程度とされているので、ここから落下した遊技球は、始動入賞装置６のほぼ真上から落下するので始動入賞装置６に入球する可能性は極めて高い。」と記載されている。
　よって、訂正事項１は、願書に添付した明細書又は図面に記載された事項の範囲内においてされたものである。
　
＜訂正事項２〜３＞について
　訂正事項２〜３は、いずれも、訂正事項１における特許請求の範囲の訂正に伴い、特許請求の範囲と発明の詳細な説明の記載の整合性を図るものであって、明瞭でない記載の釈明を目的とするものである
　また、訂正事項１と同様に、願書に添付した明細書又は図面に記載された事項の範囲内においてされたものである。
　
　したがって、訂正事項１は特許法１２６条１項ただし書１号に掲げる事項を、訂正事項２〜３は特許法１２６条１項ただし書３号に掲げる事項を、目的としたものである。
　そして、訂正事項１〜３は、願書に添付した明細書又は図面に記載された事項の範囲内においてされたものであるから、特許法１２６条５項の規定に適合する。
　また、訂正事項１〜３は、実質上特許請求の範囲を拡張し又は変更するものでもないので、特許法１２６条６項の規定に適合する。
　さらに、訂正後の請求項１に係る発明について、特許出願の際独立して特許を受けることができないとする理由を発見しないから、特許法１２６条７項の規定にも適合する。
　
　
４．むすび
　以上のとおりであるから、本件審判の請求は、特許法１２６条１項ただし書１号及び３号に掲げる事項を目的とするものである。また、同条５〜７項の規定にも適合する。
　よって、結論のとおり審決する。